(57)【要約】  【課題】  趣向性に富む紋を顧客の注文に基づいて作成して付与できるシステムを提供する。  【解決手段】  本発明の紋処理システム１０を、紋処理コンピューター１２と、顧客端末１４と、デザイナー端末１６と、メーカー端末１８と、の銀行端末２０とから構成した。紋処理コンピューター１２は、サーバー２２と取引者端末２４とから構成されている。サーバー２２と、取引者端末２４と、顧客端末１４と、デザイナー端末１６と、メーカー端末１８と、銀行端末２０とは、ネットワーク通信Ａを介して接続されている。  【選択図】  図１
2005208871.tif 000002
【特許請求の範囲】
【請求項１】
顧客端末、デザイナー端末、及び電子銀行にネットワーク通信を介して接続された紋処理コンピューター内に、
前記顧客端末から受信した顧客情報を該顧客に対応する顧客ＩＤとともに記憶する顧客登録手段と、
前記デザイナー端末から受信したデザイナー情報を該デザイナーに対応するデザイナーＩＤとともに記憶するデザイナー登録手段と、
前記顧客端末からデザイナー指名データを受信した場合に、該顧客端末に対応する顧客情報を前記デザイナー端末へ送信する紋作成指令手段と、
前記デザイナー端末から承認データとともに紋データを受信した場合に、紋データを顧客毎に記憶する紋データ登録手段と、
前記記憶した紋データに対応する顧客の顧客端末に紋データ登録済みデータを送信する紋データ登録通知手段と、
を備えた紋処理システム。
【請求項２】
顧客端末、デザイナー端末、及び電子銀行にネットワーク通信を介して接続された紋処理コンピューター内に、
前記顧客端末から受信した顧客情報を該顧客に対応する顧客ＩＤとともに記憶する顧客登録手段と、
前記デザイナー端末から受信したデザイナー情報を該デザイナーに対応するデザイナーＩＤとともに記憶するデザイナー登録手段と、
前記顧客端末からデザイナー指名データを受信した場合に、該顧客端末へ入金指示データを送信する入金指示手段と、
前記電子銀行から入金確認データを受信した場合に、該入金確認データに対応する顧客情報を前記デザイナー端末へ送信する紋作成指令手段と、
前記デザイナー端末から承認データとともに紋データを受信した場合に、紋データを顧客毎に記憶する紋データ登録手段と、
前記記憶した紋データに対応する顧客の顧客端末に紋データ登録済みデータを送信する紋データ登録通知手段と、
を備えた紋処理システム。
【請求項３】
前記紋処理コンピューターがサーバーと取引者端末とから構成された請求項１又は請求項２に記載する紋処理システム。
【請求項４】
前記紋処理コンピューターにメーカー端末がネットワーク通信を介して接続され、該紋処理コンピューター内に、
前記メーカー端末から受信したメーカー情報を該メーカーに対応するメーカーＩＤとともに記憶するメーカー登録手段と、
前記顧客端末から商品発注データを受信した場合に、該顧客端末へ受注済みデータを送信する商品受注手段と、
前記顧客端末へ受注済みデータを送信した場合に、前記メーカー端末へ商品発注依頼データを送信する商品発注手段と、
前記商品発注依頼データを送信したメーカー端末から発送済みデータを受信する発送確認手段と、
を備えた請求項１乃至請求項３のいずれかに記載する紋処理システム。
【請求項５】
前記デザイナー端末を含む紋処理システムであり、該デザイナー端末内に、
前記顧客端末から承認データを受信した場合に、該承認データを該承認データに対応する紋データとともに前記紋処理コンピューターへ転送する承認転送手段
を備えた請求項１乃至請求項４のいずれかに記載する紋処理システム。
【請求項６】
前記デザイナー端末内に、
提案紋データを圧縮して前記顧客端末へダウンロードする紋提案取得手段
を備えた請求項５に記載する紋処理システム。
【請求項７】
前記紋処理コンピューター内に、
前記紋データ登録手段に登録した紋データを該紋データに対応する顧客端末へダウンロードする紋付与手段
を備えた請求項１乃至請求項６のいずれかに記載する紋処理システム。
【請求項８】
顧客端末、デザイナー端末、及び電子銀行にネットワーク通信を介して接続された紋処理コンピューターにより行う紋処理方法であり、
前記紋処理コンピューター内の顧客登録手段が、前記顧客端末から受信した顧客情報を該顧客に対応する顧客ＩＤとともに記憶するステップと、
前記紋処理コンピューター内のデザイナー登録手段が、前記デザイナー端末から受信したデザイナー情報を該デザイナーに対応するデザイナーＩＤとともに記憶するステップと、
前記紋処理コンピューター内の入金指示手段が、前記顧客端末からデザイナー指名データを受信した場合に、該顧客端末へ入金指示データを送信するステップと、
前記紋処理コンピューター内の紋作成指令手段が、前記電子銀行から入金確認データを受信した場合に、該入金確認データに対応する顧客情報を前記デザイナー端末へ送信するステップと、
前記紋処理コンピューター内の紋データ登録手段が、前記デザイナー端末から承認データとともに紋データを受信した場合に、紋データを顧客毎に記憶するステップと、
前記紋処理コンピューター内の紋データ登録通知手段が、前記記憶した紋データに対応する顧客の顧客端末に紋データ登録済みデータを送信するステップと、
を備えた紋処理方法。
【請求項９】
顧客端末、デザイナー端末、及び電子銀行にネットワーク通信を介して接続された紋処理コンピューターに、
前記顧客端末から受信した顧客情報を該顧客に対応する顧客ＩＤとともに記憶する顧客登録手段、
前記デザイナー端末から受信したデザイナー情報を該デザイナーに対応するデザイナーＩＤとともに記憶するデザイナー登録手段、
前記顧客端末からデザイナー指名データを受信した場合に、該顧客端末へ入金指示データを送信する入金指示手段、
前記電子銀行から入金確認データを受信した場合に、該入金確認データに対応する顧客情報を前記デザイナー端末へ送信する紋作成指令手段、
前記デザイナー端末から承認データとともに紋データを受信した場合に、紋データを顧客毎に記憶する紋データ登録手段、
前記記憶した紋データに対応する顧客の顧客端末に紋データ登録済みデータを送信する紋データ登録通知手段、
として機能させる紋処理用プログラム。
【発明の詳細な説明】
【技術分野】
【０００１】
本発明は、顧客の注文に基づいて紋を作成し、その紋を顧客に付与する紋処理システムに関する。
【背景技術】
【０００２】
従来から、商品には個人名や業者名の表示が行われている。しかし、このような表示のみでは、趣向性に乏しかった。また、購買力を向上させることはできなかった。なお、紋作成に関するシステムについての先行技術文献は特に存在しない。
【発明の開示】
【発明が解決しようとする課題】
【０００３】
解決しようとする問題点は、趣向性に富む紋を顧客の注文に基づいて作成して付与できるシステムを提供することである。
【課題を解決するための手段】
【０００４】
本発明の紋処理システムは、顧客端末、デザイナー端末、及び電子銀行にネットワーク通信を介して接続された紋処理コンピューター内に、前記顧客端末から受信した顧客情報を該顧客に対応する顧客ＩＤとともに記憶する顧客登録手段と、前記デザイナー端末から受信したデザイナー情報を該デザイナーに対応するデザイナーＩＤとともに記憶するデザイナー登録手段と、前記顧客端末からデザイナー指名データを受信した場合に、該顧客端末に対応する顧客情報を前記デザイナー端末へ送信する紋作成指令手段と、
前記デザイナー端末から承認データとともに紋データを受信した場合に、紋データを顧客毎に記憶する紋データ登録手段と、前記記憶した紋データに対応する顧客の顧客端末に紋データ登録済みデータを送信する紋データ登録通知手段と、を備えたことを特徴とする。
【０００５】
また、本発明の紋処理システムは、顧客端末、デザイナー端末、及び電子銀行にネットワーク通信を介して接続された紋処理コンピューター内に、前記顧客端末から受信した顧客情報を該顧客に対応する顧客ＩＤとともに記憶する顧客登録手段と、前記デザイナー端末から受信したデザイナー情報を該デザイナーに対応するデザイナーＩＤとともに記憶するデザイナー登録手段と、前記顧客端末からデザイナー指名データを受信した場合に、該顧客端末へ入金指示データを送信する入金指示手段と、前記電子銀行から入金確認データを受信した場合に、該入金確認データに対応する顧客情報を前記デザイナー端末へ送信する紋作成指令手段と、前記デザイナー端末から承認データとともに紋データを受信した場合に、紋データを顧客毎に記憶する紋データ登録手段と、前記記憶した紋データに対応する顧客の顧客端末に紋データ登録済みデータを送信する紋データ登録通知手段と、を備えたことを特徴とする。
【０００６】
本明細書において、端末とはＰＣ（パーソナルコンピューター）や携帯電話等のコンピューターを言う。サーバーとは、主として大型コンピューターを言う。特許請求の範囲に記載する各手段による処理はコンピューターが自ら行う処理である。
【０００７】
本発明の紋処理システムは、前記紋処理システムにおいて、前記紋処理コンピューターがサーバーと取引者端末とから構成されたことを特徴とする。
【０００８】
本発明の紋処理システムは、前記紋処理システムにおいて、前記紋処理コンピューターにメーカー端末がネットワーク通信を介して接続され、該紋処理コンピューター内に、
前記メーカー端末から受信したメーカー情報を該メーカーに対応するメーカーＩＤとともに記憶するメーカー登録手段と、前記顧客端末から商品発注データを受信した場合に、該顧客端末へ受注済みデータを送信する商品受注手段と、前記顧客端末へ受注済みデータを送信した場合に、前記メーカー端末へ商品発注依頼データを送信する商品発注手段と
前記商品発注依頼データを送信したメーカー端末から発送済みデータを受信する発送確認手段と、を備えたことを特徴とする。
【０００９】
本発明の紋処理システムは、前記紋処理システムにおいて、前記デザイナー端末を含む紋処理システムであり、該デザイナー端末内に、前記顧客端末から承認データを受信した場合に、該承認データを該承認データに対応する紋データとともに前記紋処理コンピューターへ転送する承認転送手段を備えたことを特徴とする。
【００１０】
本発明の紋処理システムは、前記紋処理システムにおいて、前記デザイナー端末内に、提案紋データを圧縮して前記顧客端末へダウンロードする紋提案取得手段を備えたことを特徴とする。
【００１１】
本発明の紋処理システムは、前記紋処理システムにおいて、前記紋処理コンピューター内に、前記紋データ登録手段に登録した紋データを該紋データに対応する顧客端末へダウンロードする紋付与手段を備えたことを特徴とする。
【００１２】
本発明の紋処理方法は、顧客端末、デザイナー端末、及び電子銀行にネットワーク通信を介して接続された紋処理コンピューターにより行う紋処理方法であり、前記紋処理コンピューター内の顧客登録手段が、前記顧客端末から受信した顧客情報を該顧客に対応する顧客ＩＤとともに記憶するステップと、前記紋処理コンピューター内のデザイナー登録手段が、前記デザイナー端末から受信したデザイナー情報を該デザイナーに対応するデザイナーＩＤとともに記憶するステップと、前記紋処理コンピューター内の入金指示手段が、前記顧客端末からデザイナー指名データを受信した場合に、該顧客端末へ入金指示データを送信するステップと、前記紋処理コンピューター内の紋作成指令手段が、前記電子銀行から入金確認データを受信した場合に、該入金確認データに対応する顧客情報を前記デザイナー端末へ送信するステップと、前記紋処理コンピューター内の紋データ登録手段が、前記デザイナー端末から承認データとともに紋データを受信した場合に、紋データを顧客毎に記憶するステップと、前記紋処理コンピューター内の紋データ登録通知手段が、前記記憶した紋データに対応する顧客の顧客端末に紋データ登録済みデータを送信するステップと、を備えたことを特徴とする。
【００１３】
本発明の紋処理用プログラムは、顧客端末、デザイナー端末、及び電子銀行にネットワーク通信を介して接続された紋処理コンピューターに、前記顧客端末から受信した顧客情報を該顧客に対応する顧客ＩＤとともに記憶する顧客登録手段、前記デザイナー端末から受信したデザイナー情報を該デザイナーに対応するデザイナーＩＤとともに記憶するデザイナー登録手段、前記顧客端末からデザイナー指名データを受信した場合に、該顧客端末へ入金指示データを送信する入金指示手段、前記電子銀行から入金確認データを受信した場合に、該入金確認データに対応する顧客情報を前記デザイナー端末へ送信する紋作成指令手段、前記デザイナー端末から承認データとともに紋データを受信した場合に、紋データを顧客毎に記憶する紋データ登録手段、前記記憶した紋データに対応する顧客の顧客端末に紋データ登録済みデータを送信する紋データ登録通知手段、として機能させることを特徴とする。
【発明の効果】
【００１４】
本発明の紋処理システムによれば、個性的で趣向性に富む紋を顧客の注文に基づいて作成して付与できる。この紋は、従来の家紋とは異なり、自由な発想に基づいて、動植物や景色等の絵を自由に表現したもので、商品に付加した場合には、その商品の出所を表示することとなるとともに、購買力を向上させることができる。また、入金確認データを受信することによりデザイナー端末へ顧客情報を送信して紋作成指令を行うため、入金を確実なものとできる。また、顧客から発信された承認データをデザイナー端末から受信することによって、紋データを紋データ登録手段に登録するため、未承認の紋データが登録蓄積されていくのを防止できる。
【００１５】
次に、紋処理コンピューターがサーバーと取引者とから構成された本発明の紋処理システムによれば、取引者による指令等を取引者端末から行い、紋データの記憶及びその管理等をサーバーによって行えるため、紋データの管理を安全に行うことができる。また、各端末間でのデータの転送の全てをサーバーを介して行えば、紋処理を一元管理することができる。
【００１６】
また、紋処理コンピューター内に商品受注手段と商品発注手段と発送確認手段とを備えた本発明の紋処理システムによれば、顧客からの商品への紋の付加の受注、商品に紋を付加するメーカーへの発注、メーカーが商品を発送したことの確認を、紋処理コンピューターにより迅速かつ容易に行うことができる。
【００１７】
また、デザイナー端末内にメーカー登録手段と承認転送手段を備えた本発明の紋処理システムによれば、紋処理コンピューターが承認データをデザイナー端末から受信したことを条件に紋データを紋データ登録手段に登録するため、未承認の紋データが登録されるのを防止できる。
【発明を実施するための最良の形態】
【００１８】
本発明に係る紋処理システムの実施形態について、図面に基づいて詳しく説明する。図１において、符号１０は本発明の紋処理システムであり、紋処理コンピューター１２と、顧客端末１４と、デザイナー端末１６と、メーカー端末１８と、図３の銀行端末２０とから構成されている。紋処理コンピューター１２は、サーバー２２と取引者端末２４とから構成されている。サーバー２２と、取引者端末２４と、顧客端末１４と、デザイナー端末１６と、メーカー端末１８と、銀行端末２０とは、図２に示すように、ネットワーク通信Ａを介して接続されている。なお、これらの端末の数量は特に限定されない。
【００１９】
紋処理コンピューター１２は、図３に示すように、顧客端末１４と通信可能な顧客登録手段２６、デザイナー端末１６と通信可能なデザイナー登録手段２８、顧客端末１４と通信可能な入金指示手段３０、デザイナー端末１６と通信可能な紋作成指令手段３２、デザイナー端末１６と通信可能な紋データ登録手段３４、顧客端末１４と通信可能な紋データ登録通知手段３６、メーカー端末１８と通信可能なメーカー登録手段３８、顧客端末１４と通信可能な商品受注手段４０、メーカー端末１８と通信可能な商品発注手段４２、メーカー端末１８と通信可能な発送確認手段４４、及び、顧客端末１４と通信可能な紋付与手段４６を備えている。なお、これらの手段は、サーバー２２に全て備えても、取引者端末２４に全て備えても、各端末に一定の手段を備えることにより紋処理コンピューター１２全体として全てを備えても良い。また、デザイナー端末１６は、図示しない承認転送手段及び紋提案取得手段を備えている。
【００２０】
よって、本発明の紋処理用プログラムは、紋処理コンピューター１２に、顧客登録手段２６、デザイナー登録手段２８、入金指示手段３０、紋作成指令手段３２、紋データ登録手段３４、紋データ登録手段３６、商品受注手段３８、商品発注手段４０、発送確認手段４２、及び、紋付与手段４４として機能させるプログラムである。
【００２１】
このような紋処理システムの作用について以下に示すことにより、本発明の紋処理方法について説明する。
【００２２】
まず、本発明の紋処理システム１０を利用して紋主になろうとする顧客は、ＰＣ（パーソナルコンピューター）や携帯電話等の顧客端末１４から登録を行う。この登録は、顧客端末１４から紋処理コンピューター１２の顧客登録手段２６へ、メールアドレス、個人情報、登録日、口座番号等を送信し、顧客登録手段２６に記憶させることにより行う。この場合、顧客端末１４には登録を完了した旨の通知が送信される。
【００２３】
また、本発明の紋処理システム１０による紋作成を行おうとするデザイナーは、ＰＣ（パーソナルコンピューター）や携帯電話等のデザイナー端末１６から登録を行う。この登録は、デザイナー端末１６から紋処理コンピューター１２のデザイナー登録手段２８へ、メールアドレス、登録日、氏名、ニックネーム、住所、電話番号、口座番号、その他の個人情報を送信し、デザイナー登録手段２８に記憶させることにより行う。この場合、デザイナー端末１６には、デザイナーとしての登録を証明する登録デザイナーＩＤ（デザイナーＩＤ）が送信される。また、デザイナーがデザイナー端末１６からサーバー２２へ Profile登録を行い、取引者が取引者端末２４からサーバー２２へ承認データを送信することにより、サーバー２２は、そのデザイナーの情報をホームページに掲載する。
【００２４】
また、本発明の紋処理システム１０により作成された紋を商品に付加しようとするメーカーは、ＰＣ（パーソナルコンピューター）や携帯電話等のメーカー端末１８から登録を行う。この登録は、メーカー端末１８から紋処理コンピューター１２のメーカー登録手段３８へ、メールアドレス、口座番号、その他の個人情報を送信し、メーカー登録手段３８に記憶させることにより行う。この場合、メーカー端末１８には、メーカーとしての登録を証明する登録メーカーＩＤ（メーカーＩＤ）が送信される。また、メーカーがメーカー端末１８からサーバー２２へ Profile登録を行い、取引者が取引者端末２４からサーバー２２へ承認データを送信することにより、サーバー２２は、そのメーカーの情報をホームページに掲載する。また、紋を付加する商品の情報もホームページに掲載する。
【００２５】
このようにして、顧客、デザイナー及びメーカーが登録を行った状態で、自己の紋の作成の注文を行おうとする顧客は、紋処理コンピューター１２にアクセスし、ホームページに掲載されているデザイナー一覧からデザイナーを選択し、そのデザイナーのデザイナー指名データを紋処理コンピューター１２へ送信する。
【００２６】
紋処理コンピューター１２では、図４に示すように、顧客端末１４からデザイナー指名データを受信した場合、その顧客端末１４へ入金指示データを送信する。入金指示データには、口座番号及び金額が含まれる。また、注文毎に付与される注文ＩＤが付加される。入金指示データを受信した顧客は、顧客端末１４から銀行端末２０へ入金を行う。入金を受けた銀行端末２０は、入金確認データを紋処理コンピューター１２へ送信する。入金確認データには、入金者名及び金額が含まれる。
【００２７】
入金確認データを受信した紋処理コンピューター１２は、紋作成指令手段３２により、図２に示すように、その顧客の顧客情報を紋作成開始通知データとして、該当するデザイナーのデザイナー端末１６へ送信する。紋作成開始通知データには、注文ＩＤが含まれる。送信するデザイナー端末１６の選択は、入金指示手段が記憶する指定デザイナー一覧から、その顧客が指定したデザイナーのデザイナー端末１６を自動的に検索することにより行う。
【００２８】
紋作成開始通知データとして顧客情報を受信したデザイナーは、顧客情報をデザイナー端末１６に表示させ、顧客情報に対応できる紋の作成を行う。この顧客情報には、業種、商品名、又は紋作成コンセプト等が含まれることが望ましい。紋の作成は、デザイナー端末１６内の紋作成手段を利用して行うことにより、作成した紋の紋データはデザイナー端末１６内に記憶される。デザイナーは、記憶された紋データを該当する顧客端末１４へ送信する。顧客端末１４への送信は、ＪＰＥＧ等による圧縮データのダウンロードの形式で行っても良い。
【００２９】
紋データを受信した顧客は、紋データを顧客端末１４に表示させて紋データの確認を行う。紋データに関する顧客とデザイナーとの間の交渉はメール送信により行う。顧客が紋データを自己の紋として容認した場合、顧客端末１４からデザイナー端末１６へ承認データを送信する。承認データを受信したデザイナー端末１６は、承認転送手段により、その承認データに該当する紋データを付加して紋処理コンピューター１２へ転送する。
【００３０】
承認データとともに紋データを受信した紋処理コンピューター１２は、図４に示すように、その紋データを各顧客に注文ＩＤと関係付けて紋データ登録手段３４へ登録する。紋データを登録すると、紋データ登録通知手段が、該当する顧客端末１４へ紋データ登録済みデータを送信する。紋データ登録済みデータには紋データが含まれ、顧客は自己が承認した紋データと一致するかを確認できる。このようにして、紋の発注処理が終了する。なお、顧客は自己の紋データを取得したい場合は、紋付与手段４６により、紋データ登録手段からダウンロードすることができる。
【００３１】
次に、作成された紋を商品に付加する処理について説明する。顧客が所定の商品に既に作成済みの紋を付加して販売等したい場合、顧客端末１４から紋処理コンピューター１２へ商品発注データを送信する。商品発注データを受信した紋処理コンピューター１２は、図５に示すように、商品受注手段４０により、その顧客端末１４へ受注済みデータを送信する。次に、商品発注手段４２が、商品発注依頼データをメーカー端末１８へ送信する。
【００３２】
商品発注依頼データを受信したメーカーは、商品発注依頼データに含まれる紋データを、商品発注データによって指定された商品に付加する作業を行う。商品への付加の方法は、商品への印刷又は加工等、特に限定されない。メーカーは、商品の付加の作業が終了すると、その商品を該当する顧客へ送付する。送付方法は、郵送又は輸送等、特に限定されない。送付を終了したメーカーは、メーカー端末１８から発送済みデータを紋処理コンピューター１２へ送信する。
【００３３】
発送済みデータを受信した紋処理コンピューター１２は、発送確認手段４４により発送確認を登録する。発送確認の登録は、顧客又は注文ＩＤ毎に「発送済み」のマークを記憶すること等によって行う。このようにして、作成された紋を商品に付加する処理が終了する。なお、紋の付加された商品を受け取った顧客は、その商品の販売等を行う。
【００３４】
以上、本発明の一実施形態について説明したが、本発明は上述の実施形態には限定されない。
【００３５】
例えば、図６に示すように、メーカー端末１８に印刷装置５０及びＮＣデータ作成装置５２を接続しても良い。商品に紋を付加する場合、メーカー端末１８内に記憶された紋データを印刷装置５０へ送信し、印刷装置５０により商品へ直接的に又は商品に付着させるシート等に紋を印刷する。また、紋の形状を商品に表す場合、メーカー端末１８内に記憶された紋データをＮＣデータ作成装置５２に送信し、ＮＣデータ作成装置によりＮＣ加工用のデータを作成する。また、メーカー端末１８内のＮＣデータ作成用のソフトにより自動的にＮＣ加工用のデータを作成しても良い。
【００３６】
以上、本発明の実施形態について図面に基づいて説明したが、本発明は図示したものに限定されない。例えば、紋処理コンピューター１２が顧客端末１４へ入金指示データを送信することにより注文ＩＤを作成し、その後、銀行端末２０から入金確認データを受信した時、デザイナー端末１６へ顧客情報を送信した時、デザイナー端末１６から承認データを受信した時に、その都度、所定数字の加算又は所定文字若しくは所定記号の付加を行い、注文ＩＤに付加されている所定数字が一定値であった場合若しくは一定値以上であった場合、又は所定文字若しくは所定記号が一定数量若しくは一定文字等であった場合に、その注文ＩＤに関する紋データが正当なルートを経て作成されたものと判断し、その紋データの紋データ登録手段への書き込みを可能とするルート判断手段を備えても良い。また、ルート判断用の注文ＩＤを作成し、その注文ＩＤを各端末間で転送させ、各端末で各処理が終了する度に、数字の加算等を行っていっても良い。また、各端末特有の記号又は数字等を付加していくことにより、ルートの正当性を判断しても良い。
【００３７】
また、顧客端末１４からデザイナー端末１６へ紋処理コンピューター１２を介して承認ＩＤを含む承認データを送信するのと同時に、顧客端末１４から紋処理コンピューター１２へも別経路で承認ＩＤを送信し、デザイナー端末１６の承認転送手段から転送された承認データに含まれる承認ＩＤと顧客端末１４から受信した承認ＩＤとが一致するか否かを判断する承認データ正当性判断手段を備えても良い。
【００３８】
また、紋処理コンピューター１２が、デザイナー端末１６へ顧客情報を送信した時、又はデザイナー端末１６から承認データを受信した後に、デザイナー端末１６へ「著作権移転承諾書」を送信してクリックさせるようにしても良い。これにより、紋データに関する著作権を取引者が有することとなり、取引者はその紋データを自由に利用できる。
【００３９】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００４０】
本発明の紋処理システムによれば、個性的で趣向性に富む紋を顧客の注文に基づいて作成して付与できる。この紋は、従来の家紋とは異なり、自由な発想に基づいて、動植物や景色等の絵を自由に表現したもので、商品に付加した場合には、その商品の出所を表示することとなるとともに、購買力を向上させることができる。
【００４１】
また、本発明の紋処理システムによれば、次の四つのメリットが生じる。すなわち、まず第一に、デザイナーを指名してオリジナル紋を注文後にその紋を付加した商品を購入することができる。第二に、デザイナーと顧客との合意の下でオリジナル紋を付けた商品を販売することができる。第三には、自分の作成した紋を紋データ登録手段に登録しておき、その紋を付加した商品の販売も行える。第四には、作成した紋データを紋データ登録手段により一定期間保管管理し、発注したいときに紋データをメーカーへ送信する紋バンクとして機能できる。
【図面の簡単な説明】
【００４２】
【図１】本発明の紋処理システムの構成図である。
【図２】図１の紋処理システムのネットワーク通信構成図である。
【図３】図１の紋処理システムの紋処理コンピューターを示す構成図である。
【図４】図１の紋処理システムの紋処理コンピューターによる紋発注の処理を示すフローチャート図である。
【図５】図１の紋処理システムの紋処理コンピューターによる商品発注の処理を示すフローチャート図である。
【図６】本発明の紋処理システムの他の実施形態を説明するための構成図である。
【符号の説明】
【００４３】
１０  紋処理システム
１２  紋処理コンピューター
１４  顧客端末
１６  デザイナー端末
１８  メーカー端末
２０  銀行端末
２２  サーバー
２４  取引者端末
２６  顧客登録手段
２８  デザイナー登録手段
３０  入金指示手段
３２  紋作成指令手段
３４  紋データ登録手段
３６  紋データ登録通知手段
３８  メーカー登録手段
４０  商品受注手段
４２  商品発注手段
４４  発送確認手段
４６  紋付与手段
Ａ  ネットワーク通信
【図１】
2005208871.tif 000003
【図２】
2005208871.tif 000004
【図３】
2005208871.tif 000005
【図４】
2005208871.tif 000006
【図５】
2005208871.tif 000007
【図６】
2005208871.tif 000008